(57)【要約】【課題】本発明は、防塵、防滴効果等の高い電磁プランジャを提供することを目的とする。【解決手段】本発明の電磁プランジャは、本体、受、鉄心、リブ部、ばね、及びカバーから構成される。本体は、コイルが巻かれた筒状のボビンを有する。なお、本体には、ヨーク及びパイプを含めてもよい。受は、ボビンの一端の内側に固定される。鉄心は、ボビンの他端から挿入され、ボビンに巻かれたコイルを励磁することによって、受方向に吸引される。リブ部は、鉄心の外端部に付される。なお、リブ部は鉄心の外端部に直接付されたものであっても、鉄心の外端部に結合したリンクレバーに付されたものであってもよい。ばねは、鉄心に対して受から離間する方向に力を加える。カバーは、リブ部と対向する開口部を有し、鉄心外端部を覆う。この開口部はリブ部よりも小さい。【選択図】図１
2009188340.tif 000002
【特許請求の範囲】
【請求項１】
コイルが巻かれた筒状のボビンを有する本体と、
上記ボビンの一端の内側に固定された受と、
上記ボビンの他端から挿入され、上記コイルの励磁の状態の変化によって上記ボビンの内側を移動する鉄心と、
上記鉄心の外端部に付されたリブ部と、
上記鉄心に対して上記受から離間する方向に力を加えるばねと、
上記リブ部と対向し上記リブ部よりも小さい開口部を有し、上記鉄心の外端部を覆うように上記本体に固定されたカバーと、
を備える電磁プランジャ。
【請求項２】
請求項１記載の電磁プランジャであって、
上記カバーが着脱可能であること、
を特徴とする電磁プランジャ。
【請求項３】
請求項１又は２記載の電磁プランジャであって、
上記カバーに排出口を有すること、
を特徴とする電磁プランジャ。
【発明の詳細な説明】
【技術分野】
【０００１】
本発明は、防滴、防塵対策を行った電磁プランジャに関する。
【背景技術】
【０００２】
従来の電磁プランジャの防滴、防塵対策は、電磁プランジャ全体と、電磁プランジャによって動作される部分とを覆っていた。そのため、スペースが大きくなるという問題がある。また、電磁プランジャを取り付ける際、自重及びばね荷重により鉄心及びばねが組付け姿勢により落下するという問題があった。これらの課題を解決する方法として、特許文献１に示す構成を有するものがある。特許文献１の電磁プランジャは、電磁プランジャ本体にカバーを取付けるので、小スペースで防塵効果が得られる。また、カバーにストッパ腕を有し、鉄心及びばねの落下を防ぐ効果が得られる。
【特許文献１】特開２００２−２８９４２６号公報
【発明の開示】
【発明が解決しようとする課題】
【０００３】
特許文献１の電磁プランジャでは、鉄心挿入面が開口している。また、カバー組立後に、鉄心を挿入するため、鉄心の外端部に付されたリブ部がカバーのストッパ腕を撓ませながら外方へ排除する。そのため、ストップ腕は構造上、スリットを必要とする。この開口部及びスリットから塵埃、水滴などが侵入するという問題がある。本発明は、上述の問題に鑑みて発明されたもので、防塵、防滴効果等の高い電磁プランジャを提供することを目的とする。
【課題を解決するための手段】
【０００４】
本発明の電磁プランジャは、本体、受、鉄心、リブ部、ばね、及びカバーから構成される。本体は、コイルが巻かれた筒状のボビンを有する。なお、本体には、ヨーク及びパイプを含めてもよい。受は、ボビンの一端の内側に固定される。鉄心は、ボビンの他端から挿入され、ボビンに巻かれたコイルを励磁することによって、受方向に吸引される。リブ部は、鉄心の外端部に付される。なお、リブ部は鉄心の外端部に直接付されたものであっても、鉄心の外端部に結合したリンクレバーに付されたものであってもよい。ばねは、鉄心に対して受から離間する方向に力を加える。カバーは、リブ部と対向する開口部を有し、鉄心外端部を覆う。この開口部はリブ部よりも小さい。
【発明の効果】
【０００５】
本発明の電磁プランジャによれば、リブ部の外周は、カバーの開口部よりも大きいので、鉄心が抜け落ちることを防止でき、小スペースで防塵、防滴効果を得られる。また、特許文献１の電磁プランジャよりも開口部が狭く、さらに、鉄心挿入後に、鉄心外端部を覆うようにカバーを取り付けるため、スリットが無くなり、隙間が減る。これにより、鉄心摺動部への防塵、防滴効果が高まる。
【０００６】
カバーの開口部と鉄心の外端部との隙間から少量の水滴が侵入した場合には、リブ部を伝わりカバー内壁に流れ落ちるため、鉄心の摺動部へ水滴が伝わらなくなる。これにより、従来の技術より吸引・復帰性能への水滴や塵の影響が少なくなる。
【発明を実施するための最良の形態】
【０００７】
ここで、本発明の実施例について述べる。
【実施例１】
【０００８】
図１は、実施例１の電磁プランジャの構成例を示す断面図である。図２は、実施例１の電磁プランジャの構成例を示す斜視図である。
電磁プランジャ１００は、本体１０１、受１２０、鉄心１４０、リブ部１５１、ばね１７０、及びカバー１６０から構成される。
【０００９】
本体１０１は、コイル１１３が巻かれた円筒状のボビン１１０を有する。また、本体１０１は、ボビン１１０の外に枠状ヨーク１３０を有する。さらに、ボビン１１０の内側に軸方向に挿入したパイプ１２４を有する。受１２０は、ボビン１１０の一端の内側に固定される。鉄心１４０は、ボビン１１０の他端から挿入され、コイル１１３の励磁の状態変化によってボビン１１０の内側を移動する。なお、鉄心の一端でコイル１１３に挿入されていない部分を外端部１４１と呼ぶ。鉄心１４０は、外端部１４１に結合されたリンクレバー１５０も有してもよい。リブ部１５１は、外端部１４１に付してもよいし、リンクレバー１５０に付してもよい。バネ１７０は、鉄心１４０に対して受１２０から離間する方向に力を加える。カバー１６０は、リブ部１５１と対向する開口部１６１を有し、鉄心外端部１４１を覆う。この開口部１６１はリブ部１５１よりも小さい。また、カバー１６０は、ヨークＢ１３２に固定される。コイル１１３に通電することによってコイル１１３内に磁界が発生し、鉄心１４０はこの磁界に吸引されて受１２０方向に移動する。通電をやめることによって、鉄心１４０はばね１７０の復元力により受１２０から離間する方向に移動する。通電をやめることによって、鉄心１４０がばね１７０の復元力により受１２０から離間する際には、リブ部１５１がカバー１６０と接触しないように調整してもよいし、接触するように調整してもよい。接触しない場合には、干渉音がしない点で優れている。接触させる場合には、隙間がなくなり、防滴、防塵効果がさらに高まり、ばね１７０による戻り位置の設定もできる。また、電磁プランジャ１００納入時には、接触させた状態にしておけば、使用開始前に侵入する水滴や塵を防げる。
【００１０】
枠状ヨーク１３０は、コ字状にプレス成形したヨークＡ１３１（ヨーク１３４、ヨーク１３５、ヨーク１３３からなる）に、ヨークＢ１３２を嵌め合わせたものにより構成される。１枚の磁性鋼板をコ字状にプレス成形してなるものであるから、各端壁での磁気損失が無く、受、鉄心に大いなる吸引力を及ぼすことができる。ヨーク１３４は中央部（開口）を有し、この中央部は受１２０の小軸１２１に貫通される。一方、ヨークＢ１３２も、中央部（開口）を有し、この中央部はパイプ１２４及び鉄心１４０に貫通される。鉄心１４０は、受１２０のテーパ孔１２３に対応するテーバ軸１４２を内端に有する。リンクレバー１５０は、鉄心１４０の外端部１４１に結合される。リンクレバー１５０は筒部１５３と、そこから突出するリンク部１５２からなる。筒部１５３には、リブ部１５１を設ける。  リブ部１５１は、その外周がカバー１６０内壁よりも小さく、カバーの開口部１６１よりも大きく、ボビン１１０とカバーの開口部１６１の間に位置する。受１２０は、一端にヨーク１３４と結合する小軸１２１を有し、他端には鉄心を受けるテーパ孔１２３とテーパ孔１２３の小径端に連なる凹部１２２を有する。受の小軸１２１をヨーク１３４の中央部に挿し通し、受１２０とヨーク１３４が密着するように配置する。その後、小軸１２１のヨーク１３４を貫通した部分は、かしめにより広げられ、受１２０がヨーク１３４に固定される。カバー１６０は、合成樹脂等の防滴効果を有するものを材料とし、開口部１６１、筒部１６２、台座部１６３及び接合部１６４からなる。接合部１６４は嵌合ツメやねじ等である。嵌合ツメ１６４’のときには、ヨークＢ１３２に嵌合溝１３６も有する。このように嵌合ツメを用いると、カバー１６０の着脱が容易である。開口部１６１は、リンクレバーの筒部１５３よりは大きいが、リブ部１５１よりも小さい。したがって、特許文献１の電磁プランジャより隙間が狭く形成され、水滴、塵埃等はカバー１６０内部により侵入しづらく、防滴、防塵効果が高い。また、開口部１６１がリブ部１５１よりも小さいので、鉄心抜けも防止できる。
【００１１】
[変形例]
前記実施例では、この枠状ヨーク１３０は、コ字状にプレス成形したヨークＡ１３１（ヨーク１３４、ヨーク１３５、ヨーク１３３からなる）に、ヨークＢ１３２を嵌め合わせたものを用いたが、４枚のヨークＢ１３２，ヨーク１３３，ヨーク１３４，ヨーク１３５を嵌め合わせたものなどを用いてもよい。前記実施例では、ボビン１１０は、円筒状であるが、筒状であれば良い。前記実施例では、パイプ１２４を設置しているが、パイプ１２４を設置せずにボビン１１０内側に受１２０と鉄心１４０を挿入してもよい。前記実施例では、鉄心の外端部１４１に、リンクレバー１５０を結合しているが、外端部１４１自体をリンクレバー１５０と同様の形状に成形してもよい。また、リンクレバー１５０を設ける代わりに、外端部１４１にリンクレバー取付部（例えば、ねじ穴）を設けてもよい。前記実施例では、ばね１７０を用いているが、その他の鉄心１４０に対して受１２０から離間する方向に力を加えるものでもよい。
【実施例２】
【００１２】
図３には実施例２が示されており、以下これについて上記実施例１と異なる部分のみ説明する。実施例１におけるカバー１６０及びヨークＢ１３２の横幅を広げることを特徴とする。ヨークＢ１３２にカバー１６０を取付ける際には、嵌合ツメ１６４’を嵌め合わせる面積が必要だが、電磁プランジャ１００が小さくなると面積の減少に伴いツメ幅を小さくしなくてはならない。しかし、ツメ幅が極端に小さくなると構造又は強度を保持できず、カバー１６０を嵌め合わせることができない場合がある。このような場合には、ヨークＢ１３２の横幅を広げヨークＢ１３２’とし、枠状ヨーク１３０から突出させ、嵌合溝１３６’を設ける。カバー１６０の台座部１６１を広げ、カバー１６０’、台座部１６１’とし、嵌合ツメ１６４”を設ける。この特徴により、電磁プランジャ１００が極端に小さい場合であってもカバー１６０’の着脱が可能となり、カバー１６０’の有無設定が可能となる。
【実施例３】
【００１３】
図４には本発明の実施例３が示されており、以下これについて上記実施例１と異なる部分のみ説明する。この実施例３は、実施例１におけるカバー１６０に排出口１６６を有することを特徴とする。この特徴により、カバー１６０の内部に侵入した水滴は、リブ部１５１を伝ってカバー１６０の内壁に落ち、内壁を伝って、排出口１６６より排出される。水滴がカバー内部に溜まることで、鉄心１４０の摺動部へ与える影響を減少させることができる。また、排出口１６６よりバネの組立を目視にて確認することもできる。
【００１４】
[変形例]
実施例３では、排出口１６６の位置は、カバーの台座部１６１に設けられているが、電磁プランジャ１００の取付け姿勢によって他の水滴の溜まる位置に変えてもよい。その際、設計変更は電磁プランジャ全体ではなく、カバー１６０のみでよい。
【図面の簡単な説明】
【００１５】
【図１】実施例１の電磁プランジャの構成例を示す断面図である。
【図２】実施例１の電磁プランジャの構成例を示す斜視図である。
【図３】実施例２の電磁プランジャの構成例を示す斜視図である。
【図４】実施例３の電磁プランジャのカバー近傍の構成例を示す断面図である。
【符号の説明】
【００１６】
１００  電磁プランジャ      １０１  本体
１１０  ボビン              １１３  コイル
１２０  受                  １４０  鉄心
１５１  リブ部              １６０  カバー
１７０  ばね
【図１】
2009188340.tif 000003
【図２】
2009188340.tif 000004
【図３】
2009188340.tif 000005
【図４】
2009188340.tif 000006